(57)【要約】  【課題】２個の画面の点灯時間に差が生じた場合でも適切に輝度補正を行うことができる電子機器を提供する。  【解決手段】本発明は、駆動電流を受けて点灯する２個のディスプレイと、各ディスプレイに駆動電流を供給する駆動部と、前記各ディスプレイの累計点灯時間を計測する計測部と、前記各ディスプレイの累計点灯時間の差に応じて、前記駆動部から各ディスプレイに供給される駆動電流の値を決定する制御部とを備えることを特徴とする。【選択図】図１
2013003179.tif 000002
【特許請求の範囲】
【請求項１】
駆動電流を受けて点灯する２個のディスプレイと、
各ディスプレイに駆動電流を供給する駆動部と、
各ディスプレイの累計点灯時間を計測する計測部と、
両ディスプレイの累計点灯時間の差に応じて、前記駆動部から各ディスプレイに供給される駆動電流の値を決定する制御部と
を備えることを特徴とする電子機器。
【請求項２】
前記制御部は、
各ディスプレイの累計点灯時間から各ディスプレイの輝度差を予測し、前記輝度差が小さくなるように、前記各ディスプレイに供給される駆動電流の値を決定する
ことを特徴とする請求項１に記載の電子機器。
【請求項３】
前記制御部は、
各ディスプレイの累積点灯時間から、各ディスプレイの輝度値を予測する輝度予測部と、
予測された２個の輝度値のうち、高い輝度値を上限値とし、かつ、低い輝度値を下限値とする補正輝度値を決定する補正輝度決定部と、
各ディプレイが前記補正輝度値で点灯するように、各ディスプレイに供給される駆動電流の値を決定する駆動電流決定部と
を備えることを特徴とする請求項２に記載の電子機器。
【請求項４】
前記補正輝度決定部は、
前記上限値および前記下限値の中間の値を前記補正輝度値とする
ことを特徴とする請求項３に記載の電子機器。
【請求項５】
前記補正輝度決定部は、
前記下限値を前記補正輝度値とする
ことを特徴とする請求項３に記載の電子機器。
【請求項６】
前記補正輝度決定部は、
前記２個のディスプレイに供給される駆動電流の合計値が増加しないように前記補正輝度値を決定する
ことを特徴とする請求項３に記載の電子機器。
【請求項７】
前記輝度予測部は、
ディスプレイの累積点灯時間と予測される輝度値との対応付けを示す輝度劣化情報を記憶しており、前記輝度劣化情報を用いて、前記各ディスプレイの輝度値を予測し、
前記駆動電流決定部は、
予測された輝度値と前記各ディスプレイに供給されている現在の駆動電流の値とから輝度−電流特性情報を生成し、生成した前記輝度−電流特性情報と前記補正輝度値とを用いて、各ディスプレイに供給する駆動電流の値を決定する
ことを特徴とする請求項２に記載の電子機器。
【請求項８】
前記制御部は、
前記２個のディスプレイの累計点灯時間の差が所定時間を超える毎に処理を行う
ことを特徴とする請求項１に記載の電子機器。
【請求項９】
請求項１に記載の電子機器を備えた携帯電話機。
【発明の詳細な説明】
【技術分野】
【０００１】
本発明は、ディスプレイの輝度制御に関し、特に、複数のディスプレイを搭載した電子機器における各ディスプレイ間の輝度制御に関する。
【背景技術】
【０００２】
液晶ディスプレイや有機ＥＬディスプレイは、使用時間に応じて輝度が劣化する場合がある。そこで、ディスプレイの輝度補正を行う技術が特許文献１に開示されている。この技術では、有機ＥＬディスプレイの点灯時間を累計しておき、輝度減衰曲線と点灯時間の累計値とからディスプレイの輝度を予測し、基準の輝度に近付くようにディプレイに供給する電流量を調整するものである。
【０００３】
ところで、近年、ディスプレイを２個搭載した電子機器が多く出回るようになってきた。このような電子機器では、２個のディスプレイを同時に使用する場合と、一方のディスプレイのみを使用する場合の２パターンの使用方法がある。
【先行技術文献】
【特許文献】
【０００４】
【特許文献１】特開２００３−２９５８２１号公報
【発明の概要】
【発明が解決しようとする課題】
【０００５】
このような電子機器において、一方のディスプレイのみ長時間使用し続けると、両ディスプレイにおいて輝度の劣化度合いに差が生じる場合もある。そこで、一方のディスプレイのみ長時間使用し、その後、２個のディスプレイを同時に使用すると、２個のディスプレイで輝度差が生じ、ユーザに違和感を与えるという問題がある。
本発明は、上記の問題点に鑑みなされたものであって、２個のディスプレイを搭載した電子機器において、２個のディスプレイの点灯時間に差が生じた場合でも適切に輝度補正を行うことによって課題解決することができる電子機器を提供することを目的とする。
【課題を解決するための手段】
【０００６】
上記の目的を達成するために、本発明の電子機器は、駆動電流を受けて点灯する２個のディスプレイと、各ディスプレイに駆動電流を供給する駆動部と、各ディスプレイの累計点灯時間を計測する計測部と、両ディスプレイの累計点灯時間の差に応じて、前記駆動部から各ディスプレイに供給される駆動電流の値を決定する制御部とを備えることを特徴とする。
【発明の効果】
【０００７】
上記の構成により、２個の画面の点灯時間に差が生じた場合でも適切に輝度補正を行うことができる電子機器を提供することができる。
【図面の簡単な説明】
【０００８】
【図１】電子機器１の機能ブロック図である。
【図２】輝度補正制御部１０６が保持する輝度劣化曲線１２０を示す図である。
【図３】輝度−電流特性１３０、１４０、１５０を示す図である。
【図４】補正輝度値の決定方法を説明するための図である。
【図５】補正輝度値の決定方法を説明するための図である。
【図６】補正輝度値の決定方法を説明するための図である。
【図７】補正輝度値の決定方法を説明するための図である。
【図８】電子機器１による輝度補正の動作を示すフローチャートである。
【図９】累積点灯時間差ｄＴから駆動電流を決定するために用いるテーブル２００のデータ構成を示す図である。
【図１０】電子機器１を備えた携帯電話機３００のブロック図である。
【図１１】携帯電話機３００の外観図である。
【発明を実施するための形態】
【０００９】
以下では、本発明に係る電子機器の一つの実施形態である電子機器１について、図面を参照しながら説明する。
＜構成＞
図１は、電子機器１の構成を機能的に示す機能ブロック図である。
同図に示すように、電子機器１は、ディスプレイユニット１０１、ディスプレイユニット１０２、ドライバ１０３、ドライバ１０４、制御部１０５、輝度補正制御部１０６および駆動電流制御部１０７から構成される。電子機器１は、具体的には、プロセッサ、ＲＯＭ、ＲＡＭなどを備えたコンピュータシステムである。制御部１０５、補正輝度制御部１０６および駆動電流制御部１０７は、ＲＯＭに記録されているコンピュータプログラムをプロセッサが実行することによりその機能を実現する。
【００１０】
ディスプレイユニット１０１は、表示デバイスであるＬＣＤ（Ｌｉｑｕｉｄ  Ｃｒｙｓｔａｌ  Ｄｉｓｐｌａｙ）１１１と、光源であるＬＥＤ（Ｌｉｇｈｔ  Ｅｍｉｔｔｉｎｇ  Ｄｉｏｄｅ）バックライト１１２とから構成される。ＬＣＤ１１１は、制御部１０５から出力される各種の画面を表示する。ＬＥＤバックライト１１２は、ＬＣＤ１１１の背面に位置し、駆動電流の供給を受けて発光することによりＬＣＤ１１１を点灯させる。
【００１１】
ディスプレイユニット１０２は、ディスプレイユニット１０１と同様に、ＬＣＤ１２１とＬＥＤバックライト１２２とから構成される。ＬＣＤ１２１は、制御部１０５から出力される各種の画面を表示する。ＬＥＤバックライト１２２は、ＬＣＤ１２１の背面に位置し、駆動電流の供給を受けて発光することによりＬＣＤ１２１を点灯させる。
駆動電流の電流値が増加した場合、ＬＥＤバックライト１１２および１２２は、明るく発光し（輝度が増加し）、駆動電流の電流値が減少した場合、ＬＥＤバックライト１１２および１２２は、暗く発光する（輝度が低下する）。
【００１２】
ドライバ１０３は、ディスプレイユニット１０１のＬＥＤバックライト１１２に駆動電流を供給する可変定電流回路である。ドライバ１０３は、駆動電流制御部１０９から入力される電流制御信号に応じた駆動電流を、ＬＥＤバックライト１１２に供給する。
ドライバ１０４は、ディスプレイユニット１０２のＬＥＤバックライト１２２に駆動電流を供給する可変定電流回路である。ドライバ１０４は、駆動電流制御部１０９から入力される電流制御信号に応じた駆動電流を、ＬＥＤバックライト１２２に供給する。
【００１３】
制御部１０５は、電子機器１の各機能ブロックと接続されており、電子機器１の全体を制御する。ここでは、ディスプレイの輝度制御についてのみ説明する。
制御部１０５は、図１に示すように、点灯フラグ１５１、点灯フラグ１５２、カウンタ１５３、カウンタ１５４、記憶部１５５、記憶部１５６、比較部１５７、および比較部１５８を含む。
【００１４】
点灯フラグ１５１は、ディスプレイユニット１０１のＬＣＤ１１１が点灯しているか否かを示すフラグである。制御部１０５は、ドライバ１０３を監視し、ドライバ１０３からディスプレイユニット１０１へ駆動電流が供給されている間は、点灯フラグ１５１を「１」を設定し、駆動電流が供給されていない間は、点灯フラグ１５１を「０」に設定する。
点灯フラグ１５２は、ディスプレイユニット１０２のＬＣＤ１２１が点灯しているか否かを示すフラグである。制御部１０５は、ドライバ１０４を監視し、ドライバ１０４からディスプレイユニット１０２へ駆動電流が供給されている間は、点灯フラグ１５２を「１」に設定し、駆動電流が供給されていない間は、点灯フラグ１５２を「０」に設定する。
【００１５】
カウンタ１５３は、点灯フラグ１５１に「１」が設定されている時間を計測する。
カウンタ１５４は、点灯フラグ１５２に「１」が設定されている時間を計測する。
カウンタ１５３および１５４は、計測している時間を、所定時間毎に記憶部１５６に書き込む。なお、カウンタ１５３および１５４は、必ずしも秒精度で時間を計測する必要はなく、少なくとも１時間〜数時間オーダーで時間を計測できればよい。
【００１６】
記憶部１５５は、カウンタ１５３から出力された時間を記憶する。記憶部１５５は、カウンタ１５３から出力された値を蓄積して記憶してもよいし、常に新しい値を上書きして記憶してもよい。記憶部１５５が記憶している最新の時間を「累積点灯時間Ｔ１」と記載する。
記憶部１５６は、カウンタ１５４から出力された時間を記憶する。記憶部１５６は、カウンタ１５４から出力された値を蓄積して記憶してもよいし、常に新しい値を上書きして記憶してもよい。記憶部１５６が記憶している最新の時間を「累積点灯時間をＴ２」と記載する。
【００１７】
比較部１５７は、記憶部１５５に記憶されている累積点灯時間Ｔ１と、記憶部１５６に記憶されている累積点灯時間Ｔ２とを定期的に比較し、Ｔ１とＴ２の差分である累積点灯時間差ｄＴを、比較部１５８に出力する。
比較部１５８は、比較部１５７から累積点灯時間差ｄＴを受け取ると、予め保持している基準時間Ｔと、累積点灯時間差ｄＴとを比較する。累積点灯時間差ｄＴが、基準時間Ｔ以上であれば、制御部１０５は、輝度補正制御部１０６へ補正指示を出力する。このとき、制御部１０５から輝度補正制御部１０６へ、ディスプレイユニット１０１の累積点灯時間Ｔ１と、ディスプレイユニット１０２の累積点灯時間Ｔ２とが通知される。なお、基準時間Ｔは、一例として１０００時間である。
【００１８】
輝度補正制御部１０６は、図２に示す輝度劣化曲線１２０を記憶している。ここでは説明の便宜上グラフを用いて説明するが、実際には、輝度補正制御部１０６は、輝度劣化曲線１２０を示す数式を記憶している。
輝度劣化曲線１２０は、ディスプレイユニット１０１および１０２について、累積点灯時間と輝度劣化度との関係を表している。なお、本実施形態では、ディスプレイユニット１０１および１０２は、同一構造であり、同一の輝度劣化特性を有するものと仮定する。
【００１９】
図２に示すように、累積点灯時間が０のとき、すなわち、電子機器１の使用が開始された初期状態の輝度をＬ０とすると、累積点灯時間が５０００時間のとき、輝度はＬ０から１０％低下してＬ１となる。さらに時間が経過し、累積点灯時間が７５００時間のとき、輝度はＬ０から１５％低下してＬ２となる。
輝度補正制御部１０６は、初期状態の輝度の値Ｌ０を記憶している。
【００２０】
輝度補正制御部１０６は、制御部１０５から補正指示と共に累積点灯時間Ｔ１および累積点灯時間Ｔ２を受け取ると、輝度Ｌ０、累積点灯時間Ｔ１、および輝度劣化曲線１２０を用いて、ディスプレイユニット１０１の現在の輝度を予測する。同様に、輝度補正制御部１０６は、輝度Ｌ０、累積点灯時間Ｔ２、および輝度劣化曲線１２０を用いて、ディスプレイユニット１０２の現在の輝度を予測する。例えば、Ｔ１＝５０００時間の場合、ディスプレイユニット１０１の輝度はＬ１に劣化したと予測できる。また、Ｔ２＝７５００時間の場合、ディスプレイユニット１０２の輝度はＬ２に劣化したと予測できる。
【００２１】
なお、本実施形態では、ディスプレイユニット１０１および１０２は、同一構造であり、同一の輝度劣化特性を有するものと仮定しているので、輝度劣化曲線１２０を用いて、両ディスプレイの劣化後の輝度を予測することが可能である。各ディスプレイユニットが異なる特性を有する場合には、各ディスプレイそれぞれに対応する輝度劣化曲線を保持しておく必要がある。
【００２２】
輝度補正制御部１０６は、予測された各ディスプレイの劣化後の輝度の値を基に、補正輝度Ｌの値を決定する。ここでは一例として、補正輝度Ｌは、Ｌ１とＬ２との中間の値とする（Ｌ＝（Ｌ１＋Ｌ２）／２）。
輝度補正制御部１０６は、ディスプレイユニット１０１の輝度Ｌ１とディスプレイユニット１０２の輝度Ｌ２と補正輝度Ｌとを、駆動電流制御部１０７へ出力する。また、輝度補正制御部１０６は、次回の補正のために、補正輝度Ｌの値を内部の記憶しておく。
【００２３】
駆動電流制御部１０７は、初期状態の駆動電流の値である初期電流値Ｉ０を記憶している。
駆動電流制御部１０７は、初期電流値Ｉ０と、ディスプレイユニット１０１の劣化後の輝度Ｌ１とを用いて、ディスプレイユニット１０１の劣化後の輝度−電流特性１４０を生成する。同様に、駆動電流制御部１０７は、初期電流値Ｉ０と、ディスプレイユニット１０２の劣化後の輝度Ｌ２とを用いて、ディスプレイユニット１０２の劣化後の輝度−電流特性１５０を生成する。
【００２４】
図３は、ディスプレイユニット１０１および１０２の初期状態の輝度−電流特性１３０と、ディスプレイユニット１０１の劣化後の輝度−電流特性１４０と、ディスプレイユニット１０２の劣化後の輝度−電流特性１５０とを表している。ディスプレイユニット１０１および１０２の輝度は、駆動電流に対してほぼ線形的に変化するので、輝度−電流特性１４０は、輝度＝（Ｌ１／Ｉ０）×駆動電流と表すことができる。同様に、輝度−電流特性１５０は、輝度＝（Ｌ２／Ｉ０）×駆動電流と表すことができる。
【００２５】
駆動電流制御部１０７は、輝度−電流特性１４０と補正輝度の値Ｌとを用いて、ディスプレイユニット１０１に供給すべき駆動電流の値を算出し、輝度−電流特性１５０と補正輝度の値Ｌとを用いて、ディスプレイユニット１０２に供給すべき駆動電流の値を算出する。
図４を用いて説明すると、ディスプレイユニット１０１については、現在の輝度Ｌ１を、補正輝度Ｌまで下げる必要がある。そのため、駆動電流の値を現在のＩ０からＩ１（１）へ減少させる必要がある。一方、ディスプレイユニット１０２については、現在の輝度Ｌ２を、補正輝度Ｌまで上げる必要がある。そのため、駆動電流の値を現在のＩ０からＩ２（１）へ増加させる必要がある。
【００２６】
駆動電流制御部１０７は、ディスプレイユニット１０１に供給する駆動電流の値Ｉ１（１）を算出すると、ドライバ１０３に対して、Ｉ１（１）を示す電流制御信号を出力する。同様に、駆動電流制御部１０７は、ディスプレイユニット１０２に供給する駆動電流の値Ｉ２（１）を算出すると、ドライバ１０４に対して、Ｉ２（１）を示す電流制御信号を出力する。また、駆動電流制御部１０７は、次回の補正のために、Ｉ１（１）およびＩ２（１）の値を内部に記憶しておく。
【００２７】
なお、２個のディスプレイユニットの輝度差を改善するという本発明の趣旨を鑑みれば、補正輝度Ｌの値はＬ１とＬ２との中間の値に限定されないのは勿論である。補正輝度Ｌとして任意の値を用いることができる。
ただし、輝度補正のために消費電流量が大幅に増加するのは好ましくない。二次電池により駆動する携帯型端末は、二次電池の持ち時間および寿命の長期化に対する要望が強い。輝度補正のために消費電流量が大幅に増加すると、二次電池の持ち時間および寿命に影響を与えるため、電子機器１が携帯型端末の場合には特に好ましくない。
【００２８】
そこで、図５に示すように、ディスプレイユニット１０１の劣化後の輝度Ｌ１およびディスプレイユニット１０２の劣化後の輝度Ｌ２のうち、低い輝度であるＬ２の値を、補正輝度Ｌとしてもよい。
この場合、ディスプレイユニット１０１に供給する駆動電流の値はＩ１（１）に補正する必要があるが、ディスプレイユニット１０２に供給する駆動電流の値はＩ０のままでよい。また、この場合、Ｉ１（１）＋Ｉ２（１）＝Ｉ１（１）＋Ｉ０＞２Ｉ０となり、輝度補正の前後において、消費電流量を低減させることができる。
【００２９】
更に時間が経過して、ディスプレイユニット１０１および１０２の累積点灯時間に再度差が生じた場合にも、制御部１０５、輝度補正制御部１０６、および駆動電流制御部１０７は、上記の処理を繰り返すことにより輝度補正を行う。
簡単に説明すると、輝度補正制御部１０６は、輝度劣化曲線１２０および前回の補正輝度Ｌと、各ディスプレイユニットの累積点灯時間とを用いて、各ディスプレイユニットの現在の輝度Ｌ１およびＬ２を予測する。そして、輝度補正制御部１０６は、補正輝度Ｌ（＝（Ｌ１＋Ｌ２）／２）を決定する。
【００３０】
駆動電流制御部１０７は、図６に示すように、ディスプレイユニット１０１について、現在の輝度Ｌ１と、現在の駆動電流Ｉ１（１）とから新たな輝度−電流特性１６０を生成する。同様に、ディスプレイユニット１０２について、現在の輝度Ｌ２と、現在の駆動電流Ｉ２（１）とから新たな輝度−電流特性１７０を生成する。
そして、駆動電流制御部１０７は、輝度−電流特性１６０と補正輝度の値Ｌとを用いて、ディスプレイユニット１０１に供給する駆動電流の値Ｉ１（２）を算出し、輝度−電流特性１７０と補正輝度Ｌとを用いて、ディスプレイユニット１０２に供給する駆動電流の値Ｉ２（２）を算出する。
【００３１】
また、ディスプレイユニット１０１の劣化後の輝度Ｌ１およびディスプレイユニット１０２の劣化後の輝度Ｌ２のうち、低い輝度であるＬ２の値を、補正輝度Ｌとする場合には、図７に示すように、駆動電流制御部１０７は、ディスプレイユニット１０１に供給する駆動電流の値Ｉ１（２）を算出するが、ディスプレイユニット１０２に供給する駆動電流の値Ｉ２（２）を算出する必要は無く、Ｉ２（１）を用いればよい。
＜動作＞
ここでは、図８に示すフローチャートを用いて、電子機器１による輝度補正の動作について説明する。
【００３２】
比較部１５７は、記憶部１５５から累積点灯時間Ｔ１を取得し、記憶部１５６から累積点灯時間Ｔ２を取得する（ステップＳ１）。比較部１５７は、Ｔ１およびＴ２を比較し、その差分である累積点灯時間差ｄＴを、比較部１５８に出力する。
比較部１５８は、累積点灯時間差ｄＴと基準時間Ｔとを比較する。累積点灯時間差ｄＴが、基準時間Ｔ未満であれば（ステップＳ２でＮＯ）、電子機器１は、ステップＳ１に戻り処理を続ける。累積点灯時間差ｄＴが、基準時間Ｔ以上であれば（ステップＳ２でＹＥＳ）、制御部１０５は、輝度補正制御部１０６へ補正指示を出力する。
【００３３】
輝度補正制御部１０６は、輝度劣化曲線１２０を用いて、ディスプレイユニット１０１およびディスプレイユニット１０２の現在の輝度値Ｌ１およびＬ２を取得する（ステップＳ３）。そして、Ｌ１およびＬ２から、補正輝度値Ｌを決定する（ステップＳ４）。
駆動電流制御部１０７は、現在の駆動電流の値Ｉ１（ｎ）およびＩ２（ｎ）を取得する（ステップＳ５）。上述したように、駆動電流制御部１０７は現在の駆動電流の値Ｉ１（ｎ）およびＩ２（ｎ）を内部に記憶していることとしたが、例えば、制御部１０５が、ドライバ１０３およびドライバ１０４から駆動電流の値を取得して、駆動電流制御部１０７に通知するとしてもよい。
【００３４】
駆動電流制御部１０７は、現在の輝度値Ｌ１と駆動電流の値Ｉ１（ｎ）とから、ディスプレイユニット１０１の輝度−電流特性を生成する（ステップＳ６）。さらに、駆動電流制御部１０７は、ステップＳ６で生成した輝度−電流特性と補正輝度値Ｌとを用いて、駆動電流Ｉ１（ｎ＋１）を算出する（ステップＳ７）。
駆動電流制御部１０７は、現在の輝度値Ｌ２と駆動電流の値Ｉ２（ｎ）とから、ディスプレイユニット１０２の輝度−電流特性を生成する（ステップＳ８）。さらに、駆動電流制御部１０７は、ステップＳ８で生成した輝度−電流特性と補正輝度値Ｌとを用いて、駆動電流Ｉ２（ｎ＋１）を算出する（ステップＳ９）。
【００３５】
駆動電流制御部１０７は、ドライバ１０３へ駆動電流Ｉ１（ｎ＋１）を示す電流制御信号を出力し、ドライバ１０４へ駆動電流Ｉ２（ｎ＋１）を示す電流制御信号を出力する（ステップＳ１０）。
ドライバ１０３およびドライバ１０４は、それぞれ、電流制御信号が示す駆動電流をディスプレイユニット１０１およびディスプレイユニット１０２に供給する（ステップＳ１１）。
【００３６】
ディスプレイユニット１０１のＬＥＤバックライト１１２およびディスプレイユニット１０２のＬＥＤバックライト１２２は、駆動電流を受けて発光することにより、ＬＣＤ１１１およびＬＣＤ１２１を点灯させる（ステップＳ１２）。
その後、電子機器１は、ステップＳ１に戻り処理を続ける。
＜変形例＞
以上、本発明に係る電子機器の輝度制御の実施形態を説明したが、例示した電子機器１を以下のように変形することも可能であり、本発明が上述の実施形態で示したとおりの電子機器１に限られないことは勿論である。
（１）上記の実施形態では、ディスプレイユニット１０１および１０２は、輝度の値が駆動電流の値に比例して大きくなる特性を有していた。しかし、本発明に用いられるディスプレイはこの構成に限定されない。輝度の値が駆動電流の値に比例しない特性を有するディスプレイを用いてもよい。その場合、駆動電流制御部１０７は、輝度−電流特性を示すテーブル若しくは数式を予め保持しておき、これらを用いて、補正後の駆動電流の値を算出するとしてもよい。
【００３７】
また、各ディスプレイの輝度−電流特性が異なる場合にも、駆動電流制御部１０７は、ディスプレイ毎に輝度−電流特性を示すテーブル若しくは数式を予め保持しておき、これらを用いて、補正後の駆動電流の値を決定するとしてもよい。この構成により、電子機器１は用途に応じた各種のディスプレイを搭載することができる。
（２）上記の実施形態では、２個のディスプレイは同一の輝度劣化特性を有していた。しかし、本発明に用いられるディスプレイはこの構成に限定されない。各ディスプレイが異なる輝度劣化特性を有する場合には、輝度補正制御部１０６は、各ディスプレイそれぞれに対応する輝度劣化曲線を予め保持しておき、これを用いて劣化後の輝度の値を算出するとしてもよい。この構成により、電子機器１は用途に応じた各種のディスプレイを搭載することができる。
（３）補正輝度の決定方法は、上記の実施形態に限定されない。例えば、図４を用いて説明した輝度Ｌ１および輝度Ｌ２の間のいずれかの値を補正輝度Ｌとしてもよい。この構成によると、輝度補正の前後において急激に両ディスプレイの輝度が変化することが無いので、補正時にユーザに与える違和感を低減することができる。
【００３８】
また、ドライバ１０３およびドライバ１０４から各ディスプレイユニットに供給される駆動電流の合計値が初期状態の電流量（２Ｉ０）から変化しないような輝度値を補正輝度Ｌとしてもよい。この構成によると、輝度補正の前後でディスプレイ点灯のための電流量が変化しない範囲で最も明るい輝度に補正することができる。これにより、電子機器１が、内部に二次電池を有する携帯電話機などの場合であっても二次電池の持ち時間や寿命に影響を与えず、また、可能な限りディスプレイの見易さを損なわずに輝度補正を行うことができる。
（４）２個のディスプレイユニットの使用形態が予め定まっている場合には、電子機器１は、ディスプレイユニット１０１および１０２の累積点灯時間差ｄＴから、各ディスプレイユニットに供給する駆動電流の値を決定してもよい。
【００３９】
例えば、２個のディスプレイユニットが独立して点灯するのではなく、ディスプレイユニット１０２のみ単独で点灯可能であり、ディスプレイユニット１０１は、ディスプレイユニット１０２が点灯しているときにディスプレイユニット１０２に付随して点灯するような場合が想定される。
このような場合に、制御部１０５は、図９に示すテーブル２００を予め内部に記憶しておく。比較部１５７から出力される累積点灯時間差ｄＴが２０００時間になると、制御部１０５は、累積点灯時間の短いディスプレイユニット１０１に対しては、駆動電流Ｉ１（１）を供給するように、対応するドライバ１０３に電流制御信号を出力し、累積点灯時間の長いディスプレイユニット１０２に対しては、駆動電流Ｉ２（１）を供給するように、対応するドライバ１０４に電流制御信号を出力する。
【００４０】
同様に、比較部１５７から出力される累積点灯時間差ｄＴが４０００時間になると、制御部１０５は、累積点灯時間の短いディスプレイユニット１０１に対しては、駆動電流Ｉ２（２）を供給するように、対応するドライバ１０３に電流制御信号を出力し、累積点灯時間の長いディスプレイユニット１０２に対しては、駆動電流Ｉ２（２）を供給するように、対応するドライバ１０４に電流制御信号を出力する。
【００４１】
この構成により、ディスプレイの使用形態が予め定まっている場合、テーブルを記憶しておくことにより簡便に輝度補正を行うことができる。
（５）本発明は、電子機器１を備えた携帯電話機であってもよい。例えば、図１０に示すように、本発明に係る携帯電話機３００は、上記の実施形態に係る電子機器１と、アンテナ３０１、無線通信部３０２、信号処理部３０３、レシーバ３０４、スピーカ３０５、マイク３０６および操作入力部３０７とから構成される。図１１は、携帯電話機３００の外観図である。図１１に示すように、携帯電話機３００は、２個のディスプレイユニット１０１および１０２を備える。ディスプレイユニット１０１および１０２は、タッチパネルを有し、操作入力部３０７の機能を備えていてもよい。
【００４２】
また、電子機器１を備えた携帯電話機に限定されず、電子機器１を備えたＰＤＡ（ＰｅｒｓｏｎａｌＤｉｇｉｔａｌ Ａｓｓｉｓｔａｎｔ）、携帯型ゲーム機、携帯型音楽プレーヤなど各種の情報端末も本発明に含まれる。
（６）上記の実施形態では、ＬＣＤとＬＥＤバックライトとから構成されるディスプレイユニットを用いていた。しかし、本発明に係るディスプレイはこの構成に限定されず、有機ＥＬディスプレイを用いてもよい。
【００４３】
また、上記の実施形態では、ＬＣＤの光源はＬＥＤバックライトに限定されず、サイドライト、フロントライト等、バックライト以外の周辺光で実現してもよい。
また、ディスプレイユニット１０１および１０２は、タッチパネルを含み、操作入力部としての機能を備えていてもよい。
（７）上記の実施形態および上記の変形例を適宜組み合わせてもよい。
＜補足＞
以下、更に本発明の一実施形態としての電子機器の構成およびその変形例と効果について説明する。
（ａ）本発明の一実施形態に係る電子機器は、駆動電流を受けて点灯する２個のディスプレイと、各ディスプレイに駆動電流を供給する駆動部と、前記各ディスプレイの累計点灯時間を計測する計測部と、前記各ディスプレイの累計点灯時間の差に応じて、前記駆動部から各ディスプレイに供給される駆動電流の値を決定する制御部とを備えることを特徴とする。
【００４４】
この構成によると、点灯時間の差に応じて各ディスプレイの駆動電流を決定するので、２個のディスプレイを同時に使用したり、一方のディスプレイのみを使用したりすることにより、２個のディスプレイの点灯時間に差が生じた場合でも、適切に輝度補正を行うことができる。
（ｂ）前記電子機器において、前記制御部は、前記各ディスプレイの累計点灯時間から各ディスプレイの輝度差を予測し、前記輝度差が小さくなるように、前記各ディスプレイに供給される駆動電流の値を決定することを特徴とする。
【００４５】
この構成によると、２個のディスプレイの点灯時間に差による輝度差が生じた場合でも、適切に輝度補正を行うことができる。
（ｃ）前記電子機器において、前記制御部は、各ディスプレイの累積点灯時間から、各ディスプレイの輝度値を予測する輝度予測部と、予測された２個の輝度値のうち、高い輝度値を上限値とし、かつ、低い輝度値を下限値とする補正輝度値を決定する補正輝度決定部と、各ディプレイが前記補正輝度値で点灯するように、各ディスプレイに供給される駆動電流の値を決定する駆動電流決定部とを備えることを特徴とする。
【００４６】
この構成によると、輝度補正の前後において、各ディスプレイに供給される駆動電流および各ディスプレイの輝度が急激に変化することがないので、機器の動作に与えるインパクトを低減し、かつ、ユーザに与える違和感も低減することができる。
（ｄ）前記電子機器において、前記補正輝度決定部は、前記上限値および前記下限値の中間の値を前記補正輝度値とすることを特徴とする。
【００４７】
この構成によると、補正後の各ディスプレイの輝度は、補正前の各ディスプレイ輝度の中間の輝度になるので、ユーザに与える違和感を最小限に抑えることができる。
（ｅ）前記電子機器において、前記補正輝度決定部は、前記下限値を前記補正輝度値とすることを特徴とする。
携帯電話機等、二次電池を内蔵した携帯型端末は、二次電池の持ち時間および寿命の長期化に対するユーザの要望が強い。輝度補正のために消費電流量が大幅に増加すると、二次電池の持ち時間や寿命に影響を与えるため、輝度補正によって消費電流量が大幅に増加することは携帯電話機のユーザにとっては特に好ましくない。
【００４８】
そこで、上記の構成によると、輝度補正の前後において、ディスプレイの点灯に関する消費電流量の変動を低減させることができるので、充電池の持ち時間および寿命への影響を抑制することができる。
（ｆ）前記電子機器において、前記補正輝度決定部は、前記２個のディスプレイに供給される駆動電流の合計値が増加しないように前記補正輝度値を決定することを特徴とする。
【００４９】
この構成によると、輝度補正の前後でディスプレイ点灯のための電流量が変化しない範囲で最も明るい輝度に補正することができる。これにより、内部に二次電池を有する携帯電話機などに当該電子機器を用いる場合であっても、二次電池の持ち時間や寿命に影響を与えず、また、可能な限りディスプレイの見易さを損なわずに輝度補正を行うことができる。
（ｇ）前記電子機器において、前記輝度予測部は、ディスプレイの累積点灯時間と予測される輝度値との対応付けを示す輝度劣化情報を記憶しており、前記輝度劣化情報を用いて、前記各ディスプレイの輝度値を予測し、前記駆動電流決定部は、予測された輝度値と前記各ディスプレイに供給されている現在の駆動電流の値とから輝度−電流特性情報を生成し、生成した前記輝度−電流特性情報と前記補正輝度値とを用いて、各ディスプレイに供給する駆動電流の値を決定することを特徴とする。
【００５０】
この構成によると、電子機器は、予め内部に輝度劣化情報のみ記憶しておけば、累積点灯時間を測定するだけで劣化後の輝度の予測および駆動電流量の決定を行うことができる。
（ｈ）前記電子機器において、前記制御部は、前記２個のディスプレイの累計点灯時間の差が所定時間を超える毎に処理を行うことを特徴とする。
【００５１】
通常、ディスプレイの輝度差がユーザに違和感を与えるのは、各ディスプレイの累積点灯時間の差が１０００時間を超えている場合が多い。そのため、輝度補正を頻繁に実行する必要は無い。
上記の構成によると、制御部は、ディスプレイの輝度差がユーザに違和感を与えるような所定時間を超える毎に輝度補正を行うことができる。
（i）本発明の一実施形態に係る携帯電話機は、駆動電流を受けて点灯する２個のディスプレイと、各ディスプレイに駆動電流を供給する駆動部と、前記各ディスプレイの累計点灯時間を計測する計測部と、前記各ディスプレイの累計点灯時間の差に応じて、前記駆動部から各ディスプレイに供給される駆動電流の値を決定する制御部とを備えることを特徴とする。
【００５２】
この構成によると、点灯時間の差に応じて各ディスプレイの駆動電流を決定するので、２個のディスプレイを同時に使用したり、一方のディスプレイのみを使用したりすることにより、２個のディスプレイの点灯時間に差が生じた場合でも、適切に輝度補正を行うことができる。
【産業上の利用可能性】
【００５３】
本発明は２個のディスプレイユニットを備える電子機器を製造および販売する産業において、各ディスプレイの輝度補正を行う仕組みとして利用することができる。
【符号の説明】
【００５４】
１        電子機器
１０１    ディスプレイユニット
１０２    ディスプレイユニット
１０３    ドライバ
１０４    ドライバ
１０５    制御部
１０６    輝度補正制御部
１０７    駆動電流制御部
１１１    ＬＣＤ
１１２    ＬＥＤバックライト
１２１    ＬＣＤ
１２２    ＬＥＤバックライト
１５１    点灯フラグ
１５２    点灯フラグ
１５３    カウンタ
１５４    カウンタ
１５５    記憶部
１５６    記憶部
１５７    比較部
１５８    比較部
３００    携帯電話機
３０１    アンテナ
３０２    無線通信部
３０３    信号処理部
３０４    レシーバ
３０５    スピーカ
３０６    マイク
３０７    操作入力部
【図１】
2013003179.tif 000003
【図２】
2013003179.tif 000004
【図３】
2013003179.tif 000005
【図４】
2013003179.tif 000006
【図５】
2013003179.tif 000007
【図６】
2013003179.tif 000008
【図７】
2013003179.tif 000009
【図８】
2013003179.tif 000010
【図９】
2013003179.tif 000011
【図１０】
2013003179.tif 000012
【図１１】
2013003179.tif 000013